(57)【要約】      （修正有）【課題】切断ナイフとクイルとにおける各切断面の位置変更が回転操作により簡単容易にかつ迅速に行えるフォーマーの線材切断装置を提供する。【解決手段】中心に切断用透孔を有する円板形状の切断ナイフ８をクイル６の先端口に沿って進退動するナイフケース９の先端部にその切断面の位置変更が可能となるように回転可能に支持し、かつ、回転により選択した所望の切断面位置で切断ナイフ８をナイフケース９に固定する固定手段を設ける。一方、クイル６を機台２に回転のみ可能に支持すると共に、クイル６の後端部に外部に設けられるモータからの動力により回転する歯車部６１を一体に設け、モータで選択した所望の切断面位置でクイル６を機台２に固定するようにした。【選択図】図１
0003181197.tif 000002
【実用新案登録請求の範囲】
【請求項１】
ダイを備えた機台の一側後方から長尺の金属線材をラム側へ供給すると同時に固定刃の機能を有するクイルと、クイルの先端口に沿って横切るように進退動して供給線材を切断する切断ナイフとからなるフォーマーの線材切断装置であって、上記切断ナイフが中心に切断用透孔を有する円板形状を呈すると共に、この切断ナイフがクイルとプッシャーピンの中心間を横移動するナイフケースの先端部にその切断面の位置変更が可能となるように回転可能に支持され、かつ、回転により選択した所望の切断面位置で切断ナイフをナイフケースに固定する固定手段が設けられている一方、上記クイルが機台に回転のみ可能に支持されていると共に、このクイルの後端部に外部に設けられる回転作動手段の操作により回転する歯車部が一体に設けられ、回転操作手段による回転により選択した所望の切断面位置でクイルを機台に固定するようにしたことをしたことを特徴とするフォーマーの線材切断装置。
【考案の詳細な説明】
【技術分野】
【０００１】  本考案は、ボルトやナット、その他各種のパーツ部品などを圧造成形するフォーマーの線材切断装置に関するものである。
【背景技術】
【０００２】    従来、例えば多段式フォーマーの線材切断装置としては、ラムの正面側に複数のダイを備えた機台の一側部に、機台の後方から長尺の金属線材をラム側へ間歇的に供給すると同時に固定刃の機能を有するクイルが設けられると共に、供給線材を切断するための切断ナイフがクイルの先端口に沿って横切るように進退動すべく設けられている。その場合、切断ナイフには、刃部を開放側前端部に設けた形式のものや、円板体の中心に切断用透孔を設けた形式のものが使用されている。【０００３】  そして、この線材切断装置により供給素材を切断する際には、長尺の金属線材をクイルの先端口から所定長さ送り出して、切断ナイフをクイルの先端口を横切るように移動させて切断するようになっている。また、その後においては、所定長さに切断されて運ばれた切断素材をプッシャーピンの押し出しにより切断ナイフから素材移送チャックに挟持させ、素材移送チャックで複数段の圧造ステーションに順次移送しながらパンチとダイスで叩打して所定の形状に圧造するようになっている。【０００４】
【特許文献１】実公平３−２８９８１号公報
【考案の概要】
【考案が解決しようとする課題】
【０００５】  ところで、上記した線材切断装置の切断ナイフやクイルにあっては、ラムの一往復動ごとに切断ナイフが進退動作して線材を切断するものであるため、切断ナイフやクイルにおける切断部分の消耗が激しいばかりか、せん断荷重が一箇所に集中してかかり局部的に摩耗することになる。その結果、切断精度を低下させ、またバリなどを発生させたりする原因となっていた。そこで、比較的早期に切断ナイフやクイルを取り替えたり、摩耗した切断面を研磨し直したりする必要があるし、また、このように切断ナイフやクイルを取り替えたり、切断面を研磨した場合には面倒で手間のかかる切断ナイフとクイルとの隙間の寸法出し作業をその都度行わなければならず、作業性が悪くなる問題を有していた。【０００６】  そこで、本考案は、上記した問題に鑑み考案したもので、切断ナイフとクイルとの両方をナイフケースや機台から取り出したりしないで、切断ナイフとクイルとにおける各切断面の位置変更が迅速容易に行えるようにして、切断精度の低下防止と同時に作業性の向上化を図り、その上、長期間にわたる使用を可能にすることのできるフォーマーの線材切断装置の提供を課題とする。
【課題を解決するための手段】
【０００７】    上記した課題を解決するために、本考案は、ダイを備えた機台の一側後方から長尺の金属線材をラム側へ供給すると同時に固定刃の機能を有するクイルと、クイルの先端口に沿って横切るように進退動して供給線材を切断する切断ナイフとからなるフォーマーの線材切断装置であって、上記切断ナイフが中心に切断用透孔を有する円板形状を呈すると共に、この切断ナイフがクイルとプッシャーピンの中心間を横移動するナイフケースの先端部にその切断面の位置変更が可能となるように回転可能に支持され、かつ、回転により選択した所望の切断面位置で切断ナイフをナイフケースに固定する固定手段が設けられている一方、上記クイルが機台に回転のみ可能に支持されていると共に、このクイルの後端部に外部に設けられる回転作動手段の操作により回転する歯車部が一体に設けられ、回転操作手段による回転により選択した所望の切断面位置でクイルを機台に固定するようにしたことをしたことを特徴とする。
なお、機台とは、クイルやダイを支持するダイブロックなどを含む概念である。
【考案の効果】
【０００８】  本考案のフォーマーの線材切断装置によれば、上記したように切断ナイフがナイフケースにその切断面の位置変更が可能となるように回転可能に支持され、また、クイルが機台にその切断面の位置変更が可能となるように回転可能に支持されているので、使用により切断ナイフやクイルの切断面が局部的に摩耗して切断素材の切り口が悪くなった場合、切断ナイフとクイルとの両方をナイフケースや機台から取り出して取り替えたり、摩耗した切断面を研磨し直したりするたりすることなく、切断ナイフとクイルとにおける各切断面の位置変更が迅速容易に行える。これにより切断精度の低下防止と同時に作業性の向上化を図るがことができ、その上、切断ナイフとクイルを長期間にわたって使用できる。
【図面の簡単な説明】
【０００９】
【図１】本考案に係るフォーマーの線材切断装置の横断面図である。
【図２】同線材切断装置における切断ナイフ部分の正面図である。
【図３】図２のＸ−Ｘ断面図である。
【図４】同線材切断装置におけるクイル部分の縦断面図である。
【図５】フォーマーの圧造部の概略平面図である。
【考案を実施するための形態】
【００１０】  以下本考案に係る線材切断装置の実施の形態を図に基づいて説明する。
【００１１】  図１〜図５は、本考案に係る線材切断装置が装備された多段式のフォーマーを示すもので、該フォーマー１は図５に示すように機台２の所定位置に複数のダイ３…３が設けられていると共に、ダイ３の正面にあって前後動するラム４にはダイ３…３に対向するパンチ５…５が装備されている。また、図１に示すように、前段側ダイ３の側方部には、機台２の一側部にその後方より導入される長尺丸棒の金属線材Ａを供給すると同時に固定刃の機能を有するクイル６と、該クイル６より前部のストッパー７に向けて供給された一定寸法の線材Ａを切断する切断ナイフ８とを備えた線材切断装置Ｓが配設されている。さらに、機台２のクイル６と前段側ダイ３の間には、切断ナイフ８により切断された状態で運ばれた切断線材Ｂの後端を押圧して該線材Ｂを素材移送チャック１１に挟持させるプッシャーピン１２が備えられている。素材移送チャック１１に挟持された切断素材Ｂは素材移送チャック１１により複数段の圧造ステーションに順次移送され、パンチ５…５とダイ３…３で叩打されて所定の形状に圧造成形される。なお、金属線材Ａとしては、長尺の丸棒に限定されるものではなく長尺の棒材やコイル線材などであってもよい。また、機台２とは、クイル６やダイ３…３を支持するダイブロックなどを含む概念である。
【００１２】  そして、上記した線材切断装置Ｓにおける切断ナイフ８は、図２及び図３に示すように、中心に切断用透孔８ａを有する円板形状を呈し、この切断ナイフ８はラム４の１前後動ごとにクイル６とプッシャーピン１１の中心間を横移動するナイフケース９の先端保持孔９ａに切断面の位置変更が可能となるように回転可能に支持されている。また、ナイフケース９の前面には、回転により選択した所望の切断面で切断ナイフ８を該ケース９に固定するロックボルト（固定手段）１０が設けられている。図に示す実施の形態では、ナイフケース９の保持孔９ａに切断ナイフ８を回転可能で抜け出し不能に支持する構造として、切断ナイフ８における切断ナイフ８の幅方向中間部に大径係止部８ｂを一体に形成する一方、ナイフケース９における保持孔９ａの周辺部分を、上記大径係止部８ｂが係合する係合凹部９ｂを有する本体部９０と蓋体９１とに分割形成して、これら本体部９０と蓋体９１間に切断ナイフ８を挟み込み回転可能でかつ抜け出し不能に支持している。また、切断ナイフ８の切断面の位置変更が正確に行えるようにクリックタイプの位置決め手段１３が設けられている。この位置決め手段１３としては、ナイフケース９に係合体１４とバネ１５と止めねじ１６とからなる係合部材が設けられる一方、切断ナイフ８の外周に、上記係合部材の係合体１２がクリック係合して位置決めをする複数の位置決め用の係合凹所（図では９０度の角度をおいて４個）８ｃ…８ｃが複数形成されている。さらに、切断ナイフ８の前面には、切断ナイフ８を回転させるための回転操作治具（図示せず）が挿入可能な複数の凹部（図では９０度の角度をおいて４個）８ｄ…８ｄが形成されている。
【００１３】  一方、線材切断装置Ｓにおけるクイル６は、図１及び図４に示すように、機台２の受け部２ａに回転可能に支持されると共に、このクイル６の後端部に、外部に設けられるモータ（回転作動手段）１７からの動力を受けて回転する歯車部６１が一体に設けられている。クイル６は機台２内において回転自由であるが、クイル６の外周に設けられた環状凹部６ａへのロックピン１８の嵌合により機台２に定着され、前方への抜け出しが阻止されている。また、図１中、１９…１９は歯車部６１をクイル６に固定する固定ボルトである。
【００１４】  本考案は、以上のように構成されているので、使用により切断ナイフ８やクイル６の切断面が局部的に摩耗して切断素材Ｂの切り口が悪くなった場合には、切断ナイフ８とクイル６をそれぞれ回転させて切断ナイフ８とクイル６における各切断面を位置変更すればよい。
【００１５】  具体的には、まず、切断ナイフ８の切断面が局部的に摩耗した場合、ロックボルト１０を緩めて切断ナイフ８をナイフケース９に対し回転可能にした後、切断ナイフ８の凹部に回転操作治具を挿入し、９０度切断ナイフ８を回転させて切断ナイフ８の切断面の位置変更を行う。この際、位置決め手段１３の係合体１４がバネ１５に抗して係合凹所を乗り越え、次の係合凹所に再び落ち込んで係合し、これにより９０度の位置変更が正確に行われたことが確認できる。このように切断ナイフ８位置保持手段１３で変更位置を保持した状態のもとでロックボルト１０を締め付けて切断ナイフ８をナイフケース９に固定する。これにより、切断面の位置変更が簡単容易かつ正確に行える。
【００１６】  また、クイル６の切断面が局部的に摩耗した場合、外部に設けられるモータ１７を駆動してクイル６の後端部に一体に設けた歯車部６１を所定角度回転させることにより、クイル６を例えば９０度回転させクイル６の切断面の位置を所望の位置に変更することができる。このクイル６の場合には、機械の運転中において任意の角度に自由に回動してクイル６の切断面位置を変更することができる。
【００１７】  以上のように、切断ナイフ８とクイル６との両方をナイフケース９や機台２から取り出して取り替えたり、摩耗した切断面を研磨し直したりするたりすることなく、切断ナイフ８とクイル６とにおける各切断面の位置変更を迅速容易に行うことができ、その結果、切断精度の低下防止と同時に作業性の向上化を図るがことができ、その上、切断ナイフ８とクイル６を長期間にわたって使用できる。
【００１８】  以上の実施の形態では、切断ナイフ８及びクイル６をそれぞれ９０度回転させて切断面の変更を行うようにしたが、何ら９０度に限定されるものではない。
【符号の説明】
【００１９】１          フォーマー
２          機台
３          ダイ
４          ラム
５          パンチ
６          クイル
８          切断ナイフ
９          ナイフケース
【図１】
0003181197.tif 000003
【図２】
0003181197.tif 000004
【図３】
0003181197.tif 000005
【図４】
0003181197.tif 000006
【図５】
0003181197.tif 000007